(57)【特許請求の範囲】
【請求項１】
軸方向に延在し、周方向に交互に隣接する凸条と凹条とからなるローレットを側壁の外周面に有する先細のネジキャップと、該ネジキャップのローレットと噛み合う凸条部を内周面に有するインナーリングが頂壁の内面に立設され、該ネジキャップに冠着されるオーバーキャップとを備えた容器のキャップであって、
前記ネジキャップは前記ローレットが形成されていない上部部分を含むものであり、
前記ネジキャップの下方にタンパーエビデントバンドを備え、
前記オーバーキャップは、少なくとも前記タンパーエビデントバンドの周囲部分が透明又は半透明に形成されるものであり、
そして、前記ネジキャップの上部部分の側壁の外周面と前記オーバーキャップのインナーリングの内周面との間に位置すると共に、前記ネジキャップの上部部分の側壁の外周面に当接するリブが前記オーバーキャップに設けられていることを特徴とする容器のキャップ。
【請求項２】
注出用ノズル部を有する中栓と、軸方向に延在し、周方向に交互に隣接する凸条と凹条とからなるローレットを側壁の外周面に有し、該中栓のノズル部に装着される先細のネジキャップと、該ネジキャップのローレットと噛み合う凸条部を内周面に有するインナーリングが頂壁の内面に立設され、該ネジキャップに冠着されるオーバーキャップとを備えた容器のキャップであって、
前記ネジキャップは前記ローレットが形成されていない上部部分を含むものであり、
前記ネジキャップの下方にタンパーエビデントバンドを備え、
前記オーバーキャップは、少なくとも前記タンパーエビデントバンドの周囲部分が透明又は半透明に形成されるものであり、
そして、前記ネジキャップの上部部分の側壁の外周面と前記オーバーキャップのインナーリングの内周面との間に位置すると共に、前記ネジキャップの上部部分の側壁の外周面に当接するリブが前記オーバーキャップに設けられていることを特徴とする容器のキャップ。
【請求項３】
前記リブは、前記オーバーキャップの頂壁の内面と連続するものであることを特徴とする請求項１又は２記載の容器のキャップ。
【請求項４】
前記リブは、前記オーバーキャップのインナーリングの内周面と連続するものであることを特徴とする請求項１乃至３の何れかに記載の容器のキャップ。
【請求項５】
前記リブは、前記ネジキャップの側壁の外周面に圧接されるものであることを特徴とする請求項１乃至４の何れかに記載の容器のキャップ。
【請求項６】
前記リブは、前記ネジキャップの側壁の外周面に設けられた径方向凹部に係合する径方向凸部を有するものであることを特徴とする請求項１乃至５の何れかに記載の容器のキャップ。
【請求項７】
前記ネジキャップの頂壁の外面に設けられた軸方向凹部と略相似形をなすと共に該軸方向凹部に嵌入する軸方向凸部が前記オーバーキャップの頂壁内面に更に設けられていることを特徴とする請求項１乃至６の何れかに記載の容器のキャップ。
【発明の詳細な説明】
【技術分野】
【０００１】
この発明は、各種容器の口部に装着されるキャップに関する。
【背景技術】
【０００２】
各種容器のキャップにおいて、例えば、特開２００３−２０５９５４号公報（特許文献１）に記載のキャップのように、容器の口部に取付けられる注出部材と、注出部材に螺合されるネジ蓋と、注出部材とネジ蓋を覆うカバー部材とを備えているものがある。
【０００３】
このようなキャップは、注出部材の注出筒部にネジ蓋が装着されており、ネジ蓋が全体として小径に形成されていることから、消費者が把持し難く、結果としてキャップの開閉が容易ではないという問題があった。
【０００４】
又、同様に容器のキャップであって、例えば、特開２００３−０４０２９７号公報（特許文献２）に記載のキャップのように、容器の口部に螺合するキャップがキャップ本体と、キャップ本体に冠着するオーバーキャップとからなり、キャップ本体の側壁の外周面に形成されているローレット目と、該ローレット目に嵌合するローレット目をオーバーキャップの内周面に設けたものがある。
【０００５】
このようなキャップでは、キャップ本体にオーバーキャップが冠着しているので、消費者は径の大きいオーバーキャップを把持して開蓋方向に回転させ、オーバーキャップとキャップ本体を一度に開けることができるので、キャップ本体を直接把持して開蓋方向に回転させる場合に比べて、その開蓋トルク（キャップ本体を回して開けるのに要するトルク）を小さくすることができ、キャップを開け易くすることができるという利点がある。
【０００６】
そこで、特許文献１に記載のキャップのように小径のネジキャップを備えているキャップを、特許文献２に記載のキャップのように径の大きいオーバーキャップを把持して開閉が可能なように、ネジキャップの側壁の外周面にローレットを設けると共に、オーバーキャップの頂壁の内面に設けたインナーリングの内周面にネジキャップの外周面のローレットと噛み合う凸条を設け、ネジキャップにオーバーキャップを冠着させた構成とすれば、キャップの開閉を容易に行なうことができると考えられる。
【０００７】
しかしながら、そのような構成とした場合には、特にネジキャップが先細り形状となっているキャップについて、インナーリングとネジキャップとの間に隙間が生じ、オーバーキャップとネジキャップの冠着が不安定なものになりやすい。
【先行技術文献】
【特許文献】
【０００８】
【特許文献１】特開２００３−２０５９５４号公報
【特許文献２】特開２００３−０４０２９７号公報
【発明の開示】
【発明が解決しようとする課題】
【０００９】
この発明は、前記の事情に鑑み、オーバーキャップをネジキャップに安定して冠着することができる容器のキャップを提供することを目的とする。
【課題を解決するための手段】
【００１０】
この発明は、軸方向に延在し、周方向に交互に隣接する凸条と凹条とからなるローレットを側壁の外周面に有する先細のネジキャップと、該ネジキャップのローレットと噛み合う凸条部を内周面に有するインナーリングが頂壁の内面に立設され、該ネジキャップに冠着されるオーバーキャップとを備えた容器のキャップであって、前記ネジキャップは前記ローレットが形成されていない上部部分を含むものであり、前記ネジキャップの下方にタンパーエビデントバンドを備え、前記オーバーキャップは、少なくとも前記タンパーエビデントバンドの周囲部分が透明又は半透明に形成されるものであり、そして、前記ネジキャップの上部部分の側壁の外周面と前記オーバーキャップのインナーリングの内周面との間に位置すると共に、前記ネジキャップの上部部分の側壁の外周面に当接するリブが前記オーバーキャップに設けられていることを特徴とする容器のキャップである。
【００１１】
又、この発明は、注出用ノズル部を有する中栓と、軸方向に延在し、周方向に交互に隣接する凸条と凹条とからなるローレットを側壁の外周面に有し、該中栓のノズル部に装着される先細のネジキャップと、該ネジキャップのローレットと噛み合う凸条部を内周面に有するインナーリングが頂壁の内面に立設され、該ネジキャップに冠着されるオーバーキャップとを備えた容器のキャップであって、前記ネジキャップは前記ローレットが形成されていない上部部分を含むものであり、前記ネジキャップの下方にタンパーエビデントバンドを備え、前記オーバーキャップは、少なくとも前記タンパーエビデントバンドの周囲部分が透明又は半透明に形成されるものであり、そして、前記ネジキャップの上部部分の側壁の外周面と前記オーバーキャップのインナーリングの内周面との間に位置すると共に、前記ネジキャップの上部部分の側壁の外周面に当接するリブが前記オーバーキャップに設けられていることを特徴とする容器のキャップである。
【００１２】
又、この発明は、前記リブは、前記オーバーキャップの頂壁の内面と連続するものであることを特徴とする容器のキャップである。
【００１３】
又、この発明は、前記リブは、前記オーバーキャップのインナーリングの内周面と連続するものであることを特徴とする容器のキャップである。
【００１４】
又、この発明は、前記リブは、前記ネジキャップの側壁の外周面に圧接されるものであることを特徴とする容器のキャップである。
【００１５】
又、この発明は、前記リブは、前記ネジキャップの側壁の外周面に設けられた径方向凹部に係合する径方向凸部を有するものであることを特徴とする容器のキャップである。
【００１６】
又、この発明は、前記ネジキャップの頂壁の外面に設けられた軸方向凹部と略相似形をなすと共に該軸方向凹部に嵌入する軸方向凸部が前記オーバーキャップの頂壁内面に更に設けられていることを特徴とする容器のキャップである。
【発明の効果】
【００１８】
この発明においては、オーバーキャップをネジキャップに冠着して、オーバーキャップを介してネジキャップを開けることのできるものとなっており、又、そのネジキャップは先細のものとなっているが、ネジキャップの上部部分の側壁の外周面に当接するリブが設けられていることで、そのリブにより、オーバーキャップをネジキャップへ冠着した際に、オーバーキャップがぐらつくことを防止できる。
【００１９】
従って、この発明によれば、オーバーキャップをネジキャップに安定して冠着することができる容器のキャップを提供することができる。
【図面の簡単な説明】
【００２０】
【図１】この発明の容器のキャップの一実施形態を示し、キャップが容器口部に装着された状態における断面図である。
【図２】図１の部分拡大図である。
【図３】同上を示し、ネジキャップ単体の側面図である。
【図４】同上の他の実施形態を示した断面図である。
【図５】同上の更に他の実施形態を示した断面図である。
【発明を実施するための形態】
【００２１】
この発明の実施形態を、先細のノズルを有する中栓と、その中栓に螺着される先細のネジキャップと、中栓も覆いつつ、ネジキャップに冠着されるオーバーキャップとを備えているタイプの容器のキャップに適用する場合を例に、図面を参照しつつ説明する。尚、この発明は、ここで説明するタイプのキャップに限らず、先細のネジキャップとそれに冠着されるオーバーキャップとを備えているタイプのものであれば、適用が可能である。
【００２２】
先ず、図１乃至３に基づき、第１の実施形態のキャップ１−１について説明する。
【００２３】
図１に示したように、キャップ１−１は、先細のノズル２ａを有し、容器５の口部５ａに打栓により嵌着されて装着される中栓２と、中栓２に、そのノズル２ａの注出口を頂壁３ｉの内面に立設されたシールリング３ｊによりシールしつつ、ノズル２ａに巻き締めにより螺着されて装着される先細のネジキャップ３と、頂壁４ａ内面に垂下して設けられた直筒状のインナーリング４ｂを有し、中栓２とネジキャップ３を上方から覆いつつ、ネジキャップ３がインナーリング４ｂ内に位置するように装着されるオーバーキャップ４とからなり、３ピースの部材によって構成されている。
【００２４】
キャップ１−１において、ネジキャップ３は、その側壁の外周面に３ａには、軸方向に延在すると共に、周方向に交互に隣接する複数の凸条３ｂと凹条３ｃとからなるローレット３ｄを有し、又、オーバーキャップ４は、そのインナーリング４ｂの内周面に、軸方向に延在すると共に、周方向に間隔を置いて配置され、ネジキャップ３のローレット３ｄと噛み合う複数の凸条４ｄを有している。ここで、図１において、凸条４ｄ部分の破線は、凸条４ｄのローレット３ｄへのオーバーラップ部分を仮想線として示したものである。
【００２５】
キャップ１−１は、前記のように、ネジキャップ３がローレット３ｄを有し、それと噛み合う凸条４ｄをオーバーキャップ４が有しており、それにより、オーバーキャップ４の凸条４ｄと、ネジキャップ３のローレット３ｄ（凸条３ｂ）とが回転方向の側面において係止することにより、ネジキャップ３をそれよりも径の大きいオーバーキャップ４を介して開蓋方向に回転させて開けることができるものとなっており、小径のネジキャップ３を直接回転させて開ける場合に比べて、その開蓋トルク（ネジキャップ３を開蓋方向に回転させて開けるのに要するトルク）を小さくして、ネジキャップ３を開け易くすることができるものとなっている。
【００２６】
尚、ネジキャップ３のローレット３ｄ（凹条３ｃ）にオーバーキャップ４の凸条部４ｄが嵌入し、噛み合っている状態で、ネジキャップ３とオーバーキャップ４の接触部分は圧接されるようになっており、それによりネジキャップ３はオーバーキャップ４のインナーリング４ｂ内に保持されるようになっている。
【００２７】
キャップ１−１において、ネジキャップ３は前記のように側壁の外周面３ａにローレット３ｄを有してはいるが、先端３ｈに至る上部部分３ｅの側壁の外周面３ａａにはローレット３ｄが形成されておらず、その上部部分３ｅの側壁の外周面３ａａが平坦な周面（具体的には平坦なテーパ周面）をなすものとなっており、キャップ１−１には、そのローレット３ｄが形成されていない上部部分３ｅの側壁の外周面３ａａに当接するリブ４ｅ−１がオーバーキャップ４に設けられている。
【００２８】
そして、リブ４ｅ−１は、ネジキャップ３の上部部分３ｅの側壁の外周面３ａａとオーバーキャップ４のインナーリング４ｂの内周面との間に位置して設けられており、ネジキャップ３の上部部分３ｅの側壁の外周面３ａａに外側から当接するものとなっている。
【００２９】
これにより、キャップ１−１は、ネジキャップ３にオーバーキャップ４を冠着する際に、リブ４ｅ−１によってネジキャップ３の移動を規制することができるものとなっており、ネジキャップ３へのオーバーキャップ４の冠着を安定してすることができるものとなっている。
【００３０】
ここで、キャップ１−１は、前記のように、先細のネジキャップ３の上部部分３ｅにはローレット３ｄが形成されておらず、又、オーバーキャップ４に設けられたインナーリング４ｂが直筒状のものなっており、ネジキャップ３の上部部分３ｅの外壁の外周面３ａａとオーバーキャップ４のインナーリング４ｂの内周面との間に間隙Ｇが形成される構成となっているが、その間隙Ｇにリブ４ｅ−１を設けることで、オーバーキャップ４の移動、即ち径方向への移動を規制することができるものとなっており、オーバーキャップ４のぐらつきを防ぐことができるものとなっている。
【００３１】
尚、リブ４ｅ−１は、具体的には、オーバーキャップ４の頂壁４ａの内面に連続し、その内面から垂下するように設けられたものとなっており、又、全体としての図示は省略するが、ネジキャップ３の上部部分３ｅの側壁の外周面３ａａに沿って周回する環状のものとなっている。このリブ４ｅ−１の形状等については、ネジキャップ３の上部部分３ｅの側壁の外周面３ａａに当接するものとなっていれば、適宜変えてもよく、例えば、環状とはせずに、周方向に適宜の間隔を置いて配置された複数のリブからなるものとしてもよい。
【００３２】
更に、キャップ１−１において、リブ４ｅ−１には、ネジキャップ３の上部部分３ｅの側壁の外周面３ａａとの当接面の下部部分に径方向内側に向けて突出する径方向凸部４ｆが設けられており、又、ネジキャップ３の上部部分３ｅの側壁の外周面３ａａには、ネジキャップ３にオーバーキャップ４を冠着した際に、リブ４ｅ−１の径方向凸部４ｆが嵌入する径方向凹部３ｍが設けられている。これにより、キャップ１−１は、リブ４ｅ−１によってネジキャップ３の径方向への移動が規制されるようになっているだけでなく、リブ４ｅ−１の径方向凸部４ｆがネジキャップ３の径方向凹部３ｍと係合することで、ネジキャップ３の軸方向（具体的にはネジキャップ３がオーバーキャップ４から抜ける方向）への移動も規制することができるものとなっている。尚、この径方向凸部４ｆがリブ４ｅ−１に設けられていることで、オーバーキャップ４をネジキャップ３に冠着する際に、リブ４ｅ−１は拡径方向に一旦変形することになるが、リブ４ｅ−１は、インナーリング４ｂとは離間部Ｓによって径方向に離間して設けられており、変形による歪みがインナーリング４ｂに伝わり難いものとなっている。
【００３３】
更に、キャップ１−１において、オーバーキャップ４の頂壁４ａの中央部分にはその内面から垂下して突出するボス状（円柱状）の軸方向凸部４ｇが設けられており、又、ネジキャップ３の頂壁３ｉの中央部分には、オーバーキャップ４の軸方向凸部４ｇと略相似形でそれが嵌入する軸方向凹部３ｋが設けられている。これにより、キャップ１−１は、内側からもネジキャップ３の径方向への移動を規制することができるものとなっており、リブ４ｅ−１と併せて設けることによって、内外両側からオーバーキャップ４の移動を規制することができ、ネジキャップ３へのオーバーキャップ４の冠着をより安定したものとすることができる。尚、軸方向凸部４ｇは上述した機能を有するものであれば、その形状は円柱状に限定されず、例えば、台形状等であってもよい。
【００３４】
又、キャップ１−１は、軸方向凸部４ｇが軸方向凹部３ｋに嵌入した状態で、軸方向凸部４ｇと軸方向凹部３ｋの間に僅かな隙間が形成されるようになっており、このように設けることで、オーバーキャップ４が径方向に移動しようとした時に両者が接触し、径方向の移動は強く規制されることになる。
【００３５】
尚、キャップ１−１は、ネジキャップ３がその本体下部にブリッジ３ｆを介して連結されたタンパーエビデントバンド３ｇを有し、ネジキャップ３の開蓋方向への回転によりブリッジ３ｆが破断することで、不正開封の確認ができるものとなっているが、オーバーキャップ４を全体或いはタンパーエビデントバンド３ｇの周囲部分を透明又は半透明に形成されるものすることで、ブリッジ３ｆの破断の確認を開封時の感触やブリッジ３ｆの破断音に加えて、視認によっても確認することができる。
【００３６】
次に、図４に基づき、第２の実施形態のキャップ１−２について説明する。尚、第１の実施形態と同一の構成については同一図面符号を付してその説明を省略する。
【００３７】
図４に示したように、キャップ１−２は、ネジキャップ３の上部部分３ｅの側壁の外周面３ａａに当接するリブとして、リブ４ｅ−２を備えたものとなっており、即ち、このキャップ１−２も、ネジキャップ３の径方向の移動をその外側から規制することができるものとなっている。尚、図４において、インナーリング４ｂ部分の縦方向の破線は、インナーリング４ｂと凸条４ｄとの境を仮想線として示したものである。
【００３８】
このリブ４ｅ−２は、具体的には、オーバーキャップ４の頂壁４ａにおけるネジキャップ３の頂壁３ｉとの当接部分以外の箇所が、厚肉に補強されており、インナーリング４ｂの内周側に形成されている肉厚部４ｈと連続して設けられ、ネジキャップ３の上部部分３ｅの側壁の外周面３ａａに当接する当接面を有するものとなっている。
【００３９】
又、このリブ４ｅ−２は、リブ４ｅ−１の径方向凸部４ｆのような径方向の凸部は有しておらず、ネジキャップの上部部分３ｅの外周面３ａａと圧接されるようになっており、このキャップ１−２もネジキャップ３の軸方向の移動も規制することができるものとなっている。この場合、ネジキャップの上部部分３ｅの外周面３ａａは、テーパー周面とせず、直筒状の周面とすれば、当接面との間に滑動が生じ難くなる。
【００４０】
尚、このキャップ１−２は、キャップ１−１における軸方向凸部４ｇと軸方向凹部３ｋに相当するものを備えていない例を示しているが、キャップ１−１と同様に、軸方向凸部４ｇと軸方向凹部３ｋの構成を併せて有するものとすることができる。又、オーバーキャップ４の頂壁４ａは、インナーリング４ｂの内周側のみを厚肉に補強した構成としてもよい。
【００４１】
最後に、図５に基づき、第３の実施形態のキャップ１−３について説明する。尚、この形態の説明においても、第１の実施形態及び第２の実施形態と同一の構成については同一図面符号を付してその説明を省略する。
【００４２】
図５に示したように、キャップ１−３は、ネジキャップ３の上部部分３ｅの側壁の外周面３ａａに当接するリブとしてリブ４ｅ−３を備えたものとなっており、即ち、このキャップ１−３も、ネジキャップ３の径方向の移動をその外側から規制することができるものとなっている。尚、図５において、インナーリング４ｂ部分の縦方向の破線は、インナーリング４ｂと凸条４ｄ及びリブ４ｅ−３との境を仮想線として示したものであり、肉厚部４ｈ部分の横方向の破線は、肉厚部４ｈとリブ４ｅ−３との境を仮想線として示したものである。
【００４３】
このリブ４ｅ−３は、具体的には、インナーリング４ｂの内周面４ｃに設けられている凸条部４ｄと連続して設けられており、凸条部４ｄから径方向内側にネジキャップ３の上部部分３ｅの側壁の外周面３ａａに至るまで延出されたものとなっており、その外周面３ａａとの当接部分の軸方向の接触面積をより大きくすることができるものとなっている。
【符号の説明】
【００４４】
１−１〜１−３：キャップ  ２：中栓  ２ａ：ノズル  ３：ネジキャップ
３ａ：外周面（ローレットあり）  ３ａａ：外周面（ローレットなし）
３ｂ：凸条  ３ｃ：凹条  ３ｄ：ローレット  ３ｅ：上部部分
３ｆ：ブリッジ  ３ｇ：タンパーエビデントバンド  ３ｈ：先端  ３ｉ：頂壁
３ｊ：シールリング  ３ｋ：軸方向凹部  ３ｍ：径方向凹部
４：オーバーキャップ  ４ａ：頂壁  ４ｂ：インナーリング
４ｄ：凸条部  ４ｅ−１〜４ｅ−３：リブ  ４ｆ：径方向凸部
４ｇ：軸方向凸部  ４ｈ：肉厚部  ５：容器  ５ａ：容器口部  Ｇ：間隙
Ｓ：離間部
【図１】
0005783360.tif 000002
【図２】
0005783360.tif 000003
【図３】
0005783360.tif 000004
【図４】
0005783360.tif 000005
【図５】
0005783360.tif 000006